(57)【特許請求の範囲】
【請求項１】
矩形状の底板と、該底板の対向する二辺に折り線を介して連設される一対の端板と、前記底板の前記端板が設けられていない二辺に折り線を介して連設される一対の側板と、該側板のうち、一方の側板の前記底板と対向する辺に折り線を介して連設される蓋板と、他方の側板の前記底板と対向する辺に折り線を介して連設される側方仕切板と、該側方仕切板の前記側板と対向する辺に折り線を介して連設され、前記底板上に被梱包物を載置する台座を形成する台座板と、を有する一枚のシートから組み立てられ、
周囲を前記側方仕切板と前記端板と前記側板とで囲まれ内部に前記台座が配置された第１収納空間が形成される包装ケースであって、
前記台座板は、前記側方仕切板と連続する辺に平行な折り線により前記側方仕切板側から順に第１支持部、被梱包物載置面、及び第２支持部に分割されており、前記第１及び第２支持部を前記底板方向に折り曲げて形成され前記被梱包物載置面と前記底板とが略平行な第１の台座と、前記第１支持部を前記底板方向に折り曲げるとともに前記第２支持部を前記底板に対して反対方向に折り曲げて形成され前記被梱包物載置面が前記底板に対し所定の角度を有する第２の台座とを選択的に形成可能としたことを特徴とする包装ケース。
【請求項２】
前記被梱包物載置面には前記側方仕切板と連続する辺に平行な一つ以上の折り線が形成されることを特徴とする請求項１に記載の包装ケース。
【請求項３】
前記台座板には、前記底板に形成されたスリットに係合して前記第１及び第２の台座を保持する台座板固定片が設けられることを特徴とする請求項１又は請求項２に記載の包装ケース。
【請求項４】
前記側板と前記側方仕切板との間には折り線を介して連結板が連設されており、周囲を前記側方仕切板と前記端板と前記側板で囲まれ上面が前記連結板で覆われた第２収納空間が形成されることを特徴とする請求項１乃至請求項３のいずれかに記載の包装ケース。
【請求項５】
前記一対の端板には、前記蓋板方向に突出する第１フラップと、前記連結板方向に突出する第２フラップとが折り線を介して連設されており、前記第２フラップを角筒状に折り曲げることにより、前記第２収納空間を補強する支柱部が形成されることを特徴とする請求項４に記載の包装ケース。
【発明の詳細な説明】
【技術分野】
【０００１】
本発明は、製品等を梱包する包装ケースにおいて、段ボール紙等の一枚のシートから組み立てられる包装ケースに関するものである。
【背景技術】
【０００２】
従来、原紙から打ち抜かれた一枚のシートから形成される包装ケースは、図１１に示されるようなものであった。即ち、図１１（ａ）の包装ケースの展開図において、底板１００の四辺には側板１０１ａ、１０１ｂ及び１０１ｃが連設されている。そして、底板１００に連設された側板には、例えば、図１１においては、側板１０１ａの両端には接合片１０２ａが、側板１０１ｃの両端には接合片１０２ｃが連設されており、接合片１０２ａ及び１０２ｃの外面を側板１０１ｂの内面に接着することにより収容空間が形成される。
【０００３】
また、底板１００には、この底板１００と同じ大きさに形成され、４枚の側板１０１のいずれか（図１１では側板１０１ｃ）に、底板１００との間に側板１０１を挟み、折り線１０３ａを介して、蓋板１０３が連設されている。更に、蓋板１０３の先端には、折り線１０３ｂを介して挿入片１０４が連設されている。そして、図１１（ｂ）に示す包装ケース組立後の斜視図において、折り線１０３ａ及び１０３ｂを折り畳むことにより、形成された箱体の上に蓋板１０３が被せられ、挿入片１０４が側板１０１ａの内側に沿って差し込まれ、蓋板１０３が形成された箱体に固定される。
【０００４】
一方、特許文献１には、図１２に示すような複数の収納部を備えた包装ケースが提案されている。なお、図１２（ａ）は展開状態、図１２（ｂ）は組み立て途中、図１２（ｃ）は組み立て後の状態を図示している。図１２（ａ）に示すように、底板３００の両長辺側には側板３０１が連設されており、これらの両側板３０１の外側方には蓋板３０２が連接され、更に、これらの両蓋板３０２の外側には中仕切片３０３が連設されている。
【０００５】
また、底板３００の両短辺側には端板３０４が連設されており、側板３０１と端板３０４と間には、底板３００の４つの角を夫々交点とする略Ｖ字状の折り線を設けられており、この折り線にて台形状の切起用補助片３０５が形成されている。そして、前述した中仕切片３０３及び端板３０４には、嵌合用切欠き３０３ａ、３０４ａがそれぞれ設けられている。
【０００６】
上記のように構成された包装ケースを組み立てる際には、図１２（ｂ）に示すように、底板３００に対して両側の側板３０１を上方に折曲させていくと、両側板３０１の間に挟み付けられた端板３０４が自然に起立する。この状態で、包装ケースに収容される製品等を底板３００上に載せた後、側板３０１に連設された蓋板３０２及び中仕切片３０３を内向きに折曲させていき、各嵌合用切欠３０３ａ、３０４ａを嵌合させることにより、図１２（ｃ）に示すような、中仕切を備えた包装ケースが容易に且つ迅速に組立てられる。
【特許文献１】特開平５−１１２３５３号公報
【発明の開示】
【発明が解決しようとする課題】
【０００７】
しかしながら、上述したような従来の包装ケースでは、組み立てられた包装ケースの収納部の形状は一定であるため、決まった形状の被梱包物しか収納できない。そのため、例えば異なる大きさや形状を有する多種類の製品を選択的に収納する場合には、製品の種類に応じて複数の包装ケースを用意しておく必要があり、包装ケースの製造コストや管理負担が増加するという問題があった。
【０００８】
本発明は、上述の問題点に鑑み、段ボール紙等の一枚のシートから組み立てられる包装ケースにおいて、形状や大きさの異なる被梱包物を選択的に収納可能な包装ケースを提供することを目的とする。
【課題を解決するための手段】
【０００９】
上記目的を達成するために本発明は、矩形状の底板と、該底板の対向する二辺に折り線を介して連設される一対の端板と、前記底板の前記端板が設けられていない二辺に折り線を介して連設される一対の側板と、該側板のうち、一方の側板の前記底板と対向する辺に折り線を介して連設される蓋板と、他方の側板の前記底板と対向する辺に折り線を介して連設される側方仕切板と、該側方仕切板の前記側板と対向する辺に折り線を介して連設され、前記底板上に被梱包物を載置する台座を形成する台座板と、を有する一枚のシートから組み立てられ、周囲を前記側方仕切板と前記端板と前記側板とで囲まれ内部に前記台座が配置された第１収納空間が形成される包装ケースであって、前記台座板の折り曲げにより前記端板方向から見た断面形状の異なる前記台座を選択的に形成可能としたことを特徴としている。
【００１０】
また本発明は、上記構成の包装ケースにおいて、前記台座板は、前記側方仕切板と連続する辺に平行な折り線により前記側方仕切板側から順に第１支持部、被梱包物載置面、及び第２支持部に分割されており、前記第１及び第２支持部を前記底板方向に折り曲げて形成され前記被梱包物載置面と前記底板とが略平行な第１の台座と、前記第１支持部を前記底板方向に折り曲げるとともに前記第２支持部を反対方向に折り曲げて形成され前記被梱包物載置面が前記底板に対し所定の角度を有する第２の台座とを選択的に形成可能としたことを特徴としている。
【００１１】
また本発明は、上記構成の包装ケースにおいて、前記被梱包物載置面には前記側方仕切板と連続する辺に平行な一つ以上の折り線が形成されることを特徴としている。
【００１２】
また本発明は、上記構成の包装ケースにおいて、前記台座板には、前記底板に形成されたスリットに係合して前記第１及び第２の台座を保持する台座板固定片が設けられることを特徴としている。
【００１３】
また本発明は、上記構成の包装ケースにおいて、前記側板と前記側方仕切板との間には折り線を介して連結板が連設されており、周囲を前記側方仕切板と前記端板と前記側板で囲まれ上面が前記連結板で覆われた第２収納空間が形成されることを特徴としている。
【００１４】
また本発明は、上記構成の包装ケースにおいて、前記一対の端板には、前記蓋板側に突出する第１フラップと、前記連結板側に突出する第２フラップとが折り線を介して連設されており、前記第２フラップを角筒状に折り曲げることにより、前記第２収納空間を補強する支柱部が形成されることを特徴としている。
【発明の効果】
【００１５】
本発明の第１の構成によれば、台座板の折り曲げ形状を変更するだけで端板方向から見た形状の異なる被梱包物を第１収納空間に選択的に収納可能となるため、同一の包装ケースを用いて複数の種類の被梱包物を簡単に梱包可能となる。また、包装ケースの外寸は変化しないため、輸送時や保管時において使用するコンテナも共用することができる。
【００１６】
また、本発明の第２の構成によれば、上記第１の構成の包装ケースにおいて、台座板を、側方仕切板と連続する辺に平行な折り線により側方仕切板側から順に第１支持部、被梱包物載置面、及び第２支持部に分割し、第１及び第２支持部を底板方向に折り曲げて形成され被梱包物載置面と底板とが略平行な第１の台座と、第１支持部を底板方向に折り曲げるとともに第２支持部を反対方向に折り曲げて形成され被梱包物載置面が底板に対し所定の角度を有する第２の台座とを選択的に形成可能とすることにより、端板方向から見た第１収納空間の形状を容易に切り替えることができる。
【００１７】
また、本発明の第３の構成によれば、上記第２の構成の包装ケースにおいて、被梱包物載置面に、側方仕切板と連続する辺に平行な一つ以上の折り線を形成することにより、第２の台座を形成したときの被梱包物載置面の傾斜角を自由に変更することができる。
【００１８】
また、本発明の第４の構成によれば、上記第２又は第３の構成の包装ケースにおいて、底板に形成されたスリットに係合して第１及び第２の台座を保持する台座板固定片を設けることにより、台座板の形状を容易に保持できるようになり、組み立て作業性が向上するとともに収納される被梱包物に対して適度な緩衝性を維持することができる。
【００１９】
また、本発明の第５の構成によれば、上記第１乃至第４のいずれかの構成の包装ケースにおいて、側板と側方仕切板との間に折り線を介して連結板を連設し、周囲を側方仕切板と端板と側板で囲まれ上面が連結板で覆われた第２収納空間を形成することにより、別途仕切板等を設けることなく同梱物の収納スペースを容易に形成することができる。
【００２０】
また、本発明の第６の構成によれば、上記第５の構成の包装ケースにおいて、一対の端板に、蓋板側に突出する第１フラップと連結板側に突出する第２フラップとを連設し、第２フラップを角筒状に折り曲げて第２収納空間を補強する支柱部を形成することにより、別部材を用いることなく第２収納空間及び包装ケースを補強することができる。また、支柱部を第２収納空間内に収納される同梱物の位置決め部材として用いることができる。
【発明を実施するための最良の形態】
【００２１】
以下、図面を参照しながら本発明の実施形態について説明する。図１は、本発明の包装ケースの展開図である。なお、図１において、斜線で示す部分は打ち抜かれた開口部分を示すものとし、また、矩形状の底板２の一辺方向（図１においては短辺方向）をＸ軸方向、それと垂直な方向（図１においては長辺方向）をＹ軸方向と称することにする。
【００２２】
包装ケース１は、段ボール紙等の一枚のシートから形成されており、矩形状の底板２のＸ軸方向両端縁には折り線を介して一対の側板３、４が連設されている。各側板３、４は、Ｘ軸方向及びＹ軸方向の長さが互いに略同一となるように形成されている。また、底板２のＹ軸方向両端縁には、それぞれ折り線を介して一対の端板５が連設されている。各端板５のＸ軸方向の長さは底板２のＸ軸方向の長さと略同一に形成されており、Ｙ軸方向の長さは側板３、４のＸ軸方向の長さと略同一に形成されている。
【００２３】
底板２のＹ軸方向略中央部には、側板３との間の折り線に沿ったスリット２ａと、スリット２ａに平行なスリット２ｂとが穿設されている。なお、スリット２ａ、２ｂのＹ軸方向の長さは、それぞれ後述する台座板固定片１１ａ、１１ｂを挿入できるように、台座板固定片１１ａ、１１ｂのＹ軸方向の長さよりも若干長く形成されている。
【００２４】
側板３の底板２と対向する辺には、折り線を介して蓋板６が連設されており、蓋板６のＸ軸方向の長さは底板２のＸ軸方向の長さと略同一に、Ｙ軸方向の長さは側板３のＹ軸方向の長さと略同一に形成されている。更に、この蓋板６の側板３と対向する辺には挿入片７ａが、側板３と垂直な辺には一対の挿入片７ｂが、それぞれ折り線を介して連設されており、挿入片７ａには蓋板６との間の折り線に沿ってＹ軸方向略中央部にスリット８が穿設されている。なお、スリット８のＹ軸方向の長さは、後述する蓋板固定片１７を挿入できるように、蓋板固定片１７のＹ軸方向の長さよりも若干長く形成されている。
【００２５】
側板４の底板２と対向する辺には、連結板９、側方仕切板１０、台座板１１が、それぞれ折り線を介して順に連設されている。これらのＹ軸方向の長さは底板２のＹ軸方向の長さと略同一であり、側方仕切板１０のＸ軸方向の長さは側板４のＸ軸方向の長さと略同一である。
【００２６】
台座板１１は、側方仕切板１０と連続する辺に平行な折り線により側方仕切板１０側から順に第１支持部１２、被梱包物載置面１３、及び第２支持部１４に分割されている。被梱包物載置面１３の第１支持部１２寄りには、側方仕切板１０と連続する辺に平行な折り線１５が形成されており、第２支持部１４のＹ軸方向略中央部には台座板固定片１１ａ、１１ｂが形成されている。連結板９と被梱包物載置面１３とのＸ軸方向の長さの和は底板２のＸ軸方向の長さと略同一であり、第１支持部１２と第２支持部１４のＸ軸方向の長さは略同一である。
【００２７】
また、連結板９のＹ軸方向中央部にはＸ軸方向全幅にわたって開口部１６が穿設されており、側板４には開口部１６へ突出する蓋板固定片１７が設けられている。また、側方仕切板１０には開口部１６へ突出する突出片１８が設けられている。
【００２８】
更に、第１支持部１２のＹ軸方向略中央部には、Ｘ軸方向全幅にわたって保持用開口部１９が穿設されている。この保持用開口部１９は、側方仕切板１０側から台座板１１側へ近づくに従ってＹ軸方向の長さが漸次短くなるように形成された台形状の挿通部１９ａと、矩形状の固定部１９ｂとが連通されて成るものである。
【００２９】
ここで、固定部１９ｂは、第１支持部１２と被梱包物載置面１３との間の折り線に沿って穿設され、そのＸ軸方向の幅が段ボールシートの厚さよりも若干大きく、そのＹ軸方向の長さが、台形状の挿通部２１ａの最も短い部分よりも若干長く形成されている。これにより、挿通部１９ａと固定部１９ｂとの間に保持用開口部１９の内方へと突出する突出部１９ｃ（図４参照）が形成されている。
【００３０】
一方、側方仕切板１０の第１支持部１２と連続する側の辺には、保持用開口部１９に隣接するように折曲保持片２０が設けられている。この折曲保持片２０のＸ軸方向の長さは、保持用開口部１９のＸ軸方向の長さ、即ち、第１支持部１２のＸ軸方向の長さと略同一に形成されている。
【００３１】
また、折曲保持片２０のＹ軸方向の長さは、側方仕切板１０の第１支持部１２と連続する辺上が最も長く、挿通部１９ａのＹ軸方向に最も長い部分と略同一に形成されており、連結板９側に近づくに従ってＹ軸方向の長さが漸次短くなり、最も短い部分の長さは固定部１９ｂのＹ軸方向の長さよりも若干短く、挿通部１９ａのＹ軸方向に最も短い部分よりも若干長くなるように形成されている。
【００３２】
さらに、各端板５には蓋板６方向に突出する第１フラップ２１と、連結板９方向に突出する第２フラップ２２がそれぞれ折り線を介して連設されている。第２フラップ２２には差し込み片２３、差し込み孔２４、係合片２５、係合孔２６、及びＹ軸方向の４本の折り線が所定の位置に形成されている。
【００３３】
次に、本発明の包装ケース１の組み立て手順について説明する。先ず、図２に示すように、側板４と連結板９との間の折り線を折曲して、連結板９、側方仕切板１０、台座板１１を上方へと持ち上げた後、台座板１１が側方仕切板１０に対して底板２と逆側に位置するように、側方仕切板１０と台座板１１との間の折り線を矢印Ｅ方向に折り曲げる。そして、折曲保持片２０を保持用開口部１９内へ挿入して、側方仕切板１０と台座板１１との折り曲げ状態を保持する。また、第２フラップ２２を折り線に沿って角筒状に折り曲げた後、差し込み片２３を差し込み孔２４に、係合片２５を係合孔２６にそれぞれ挿入して支柱部２７を形成する。
【００３４】
図３は折曲保持片２０の保持用開口部１９への挿入を説明するための拡大斜視図であり、図３（ａ）は挿入前、図３（ｂ）は挿入途中、図３（ｃ）は挿入後をそれぞれ図示している。図３を用いて、折曲保持片２０を保持用開口部１９へ挿入する手順を詳述する。側方仕切板１０と台座板１１との間の折り線を図２の矢印Ｅ方向に折曲すると、図３（ａ）に示すように、保持用開口部１９と折曲保持片２０とが互いに対向するようになる。この状態にした後、折曲保持片２０を保持用開口部１９内へ挿入する。
【００３５】
この時、前述したように、折曲保持片２０のＹ軸方向の長さは挿通部１９ａのＹ軸方向に最も短く形成された部分よりも長く形成されており、折曲保持片２０は突出部１９ｃに当接するため、図３（ｂ）に示すように、折曲保持片２０及び突出部１９ｃは一時的に変形する。そして、折曲保持片２０が完全に固定部１９ｂに嵌合されると、突出部１９ｃは復元力により元の位置へと復帰して、図３（ｃ）に示すように、突出部１９ｃが折曲保持片２０上に突出する。これにより、折曲保持片２０が挿通部１９ａ側へ戻ることが防止される。
【００３６】
そして、図３（ｃ）に示すように、折曲保持片２０が固定部１９ｂに嵌合されると、前述したように、折曲保持片２０のＹ軸方向の長さは、先端に近づくに従ってＹ軸方向の長さが漸次長くなるように形成されており、折曲保持片２０のＹ軸方向両端部が固定部１９ｂのＹ軸方向両端部に干渉するため、側方仕切板１０と台座板１１との間の折り線の折り曲げ状態が保持されることとなる。
【００３７】
次に、図２の状態から側板３、４及び端板５を底板２に対して垂直に起立させる。同時に、第１フラップ２１を内側へ折り曲げて側板３の内面に沿わせる。また、支柱部２７も端板５と共に起立する。次いで、連結板９と側方仕切板１０との間の折り線を折り曲げて側方仕切板１０及び台座板１１を底板２方向に折り込んでいく。なお、前述したように折曲保持片２０によって側方仕切板１０と台座板１１との間の折り曲げ状態が保持されているため、側方仕切板１０等の折り込み作業が容易に行えるようになっている。
【００３８】
この時、端板５に形成された支柱部２７に側板４、連結板９及び側方仕切板１０が被せられることにより、端板５の折り曲げ状態が保持されて箱体が維持されるようになる。そして、上記のように形成された箱体内部は、図４に示すように、側方仕切板１０によって水平方向に仕切られ、側板３、端板５及び側方仕切板１０によって囲まれた第１収納空間Ｓ１と、側板４、端板５、連結板９及び側方仕切板１０によって囲まれた第２収納空間Ｓ２が形成される。そして、箱体を形成した後、図４の矢印Ｆ方向に台座板１１を折り曲げる。
【００３９】
図５は台座板１１を断面コ字状に折り曲げた状態を示す包装ケースの斜視図であり、図６は包装ケースの側面断面図（図５のＡＡ′断面）である。図５及び図６では、被梱包物載置面１３と第１支持部１２及び第２支持部１４との間の折り線を、第１支持部１２及び第２支持部１４が被梱包物載置面１３に対して垂直下向きに起立するように折曲するとともに、支持板固定片１１ａをスリット２ａに係合させている。これにより、第１支持部１２及び第２支持部１４によって被梱包物載置面１３が底板２に対し略平行に支持された台座３０（第１の台座）が形成される。
【００４０】
なお、第１支持部１２の下端部は側方仕切板１０と連続しており、前述したように側方仕切板１０との間の折り線の折り曲げが折曲保持片２０によって保持されているため、第１支持部１２の底板２に対する傾倒が防止される。また、第２支持部１４の下端部は支持板固定片１１ａとスリット２ａとの係合によって固定されているため、第２支持部１４の底板２に対する傾倒も防止される。そして、台座３０の上に被梱包物（ここでは幅ｘ１、高さｙ１のトナーカートリッジ３２ａ）を載置する。なお、トナー漏れを防止するためトナーカートリッジ３２ａはトナー供給口（図示せず）を上向きにして台座３０の上に載置されている。
【００４１】
図７は台座板１１を山形状に折り曲げた状態を示す包装ケースの斜視図であり、図８は包装ケースの側面断面図（図７のＢＢ′断面）である。図７及び図８では、被梱包物載置面１３と第１支持部１２との間の折り線を、第１支持部１２が被梱包物載置面１３に対して垂直下向きに起立するように折り曲げるとともに、被梱包物載置面１３の折り線１５を山折りに折り曲げ、支持板固定片１１ｂをスリット２ｂに係合させている。これにより、被梱包物載置面１３が底板２に対し所定の角度を有する台座３１（第２の台座）が形成される。そして、台座３１の上に被梱包物（ここでは幅ｘ２、高さｙ２のトナーカートリッジ３２ｂ）を載置する。台座３１はトナーカートリッジ３２ｂを斜めに支持するため、トナー供給口（図示せず）を上側に配置することでトナー漏れを防止することができる。
【００４２】
このように、台座板１１の折り曲げ形状を変更することにより、端板５方向から見た台座３０、３１の断面形状も変化するため、端板５方向から見た形状の異なる２種類の被梱包物を、同一の包装ケース１を用いて選択的に収納することができる。また、包装ケース１の外寸は変化しないため、輸送時や保管時に包装ケース１をコンテナに函詰めする場合、コンテナの仕様を変更する必要もなくなる。
【００４３】
また、被梱包物載置面１３に複数の折り線１５を設けておき、台座３１を形成する際にいずれかの折り線１５を選択するようにすれば、被梱包物載置面１３の傾斜角を段階的に変更可能となる。従って、同一の包装ケースを用いて３種類以上の被梱包物を選択的に収納可能となる。
【００４４】
次に、図９に示すように、第２収納空間Ｓ２内に同梱物（ここでは廃トナーボトル３３）を収納する。このとき、支柱部２７が廃トナーボトル３３の位置決め部材として機能するため、第２収納空間Ｓ２における廃トナーボトル３３のがたつきを抑制することができる。また、廃トナーボトル３３に突出部３３ａがある場合には、突出片１８を開口部１４側へ折り曲げて突出部３３ａに当接させることにより、より効果的に廃トナーボトル３３のがたつきを抑制することができる。
【００４５】
第１収納空間Ｓ１及び第２収納空間Ｓ２に製品等（トナーカートリッジ及び廃トナーボトル）を収納した後、蓋板６を図５及び図７の矢印Ｇ方向へと折り曲げて、挿入片７ａを連結板９に設けられた開口部１６に挿入し、挿入片７ｂを端板５の内面に沿うように挿入する。そして、挿入片７ａに設けられたスリット８に、外側から蓋板固定片１７を挿入することにより包装ケース１の組み立てが完了する。
【００４６】
なお、本発明は上記実施形態に限られるものではなく、本発明の趣旨を逸脱しない範囲で種々の変更が可能であり、例えば、上記実施形態においては、側板４と側方仕切板１０との間に連結板９を設けて第２収納空間Ｓ２を形成しているが、折り線を介して側板４と側方仕切板１０とを連設した第２収納空間Ｓ２を形成しない構成も可能である。また、側方仕切板１０及び台座板１１は収容する製品等の大きさや個数に応じて折り曲げ位置や大きさを適宜変更することができる。
【００４７】
また本発明は、従来例の図１２で説明したような、底板３００に対して両側の側板３０１を上方に折曲させていくと、両側板３０１の間に挟み付けられた端板３０４が自然に起立するタイプの包装ケースにも適用できるのはもちろんである。
【産業上の利用可能性】
【００４８】
本発明は、段ボール紙等の一枚のシートから組み立てられる包装ケースに利用することにより、１種類の包装ケースで複数の被梱包物に対応可能な梱包作業性の向上した包装ケースを提供することができ、包装ケースの製造コストや管理負担の削減によりコストの低減にも貢献する。
【図面の簡単な説明】
【００４９】
【図１】は、本発明の包装ケースの展開図である。
【図２】は、本発明の包装ケースの組み立て途中を示す斜視図であり、保持片によって台座板の折り曲げ状態を保持した状態を示す斜視図である。
【図３】は、折曲保持片の保持用開口部への挿入を説明するための斜視図である。
【図４】は、本発明の包装ケースの組み立て途中を示す斜視図であり、側板及び端板を垂直に折り曲げた状態を示す斜視図である。
【図５】は、本発明の包装ケースの組み立て途中を示す斜視図であり、台座板を折り曲げて第１の台座を形成した状態を示す斜視図である。
【図６】は、第１の台座上に被梱包物を載置した状態を示す側面断面図である。
【図７】は、本発明の包装ケースの組み立て途中を示す斜視図であり、台座板を折り曲げて第２の台座を形成した状態を示す斜視図である。
【図８】は、第２の台座上に被梱包物を載置した状態を示す側面断面図である。
【図９】は、第２収納空間に同梱物が収納された状態を示す部分断面図である。
【図１０】は、本発明の包装ケースが組み立てられた状態を示す斜視図である。
【図１１】は、従来の包装ケースの展開図及び組み立て後の斜視図である。
【図１２】は、従来の他の包装ケースの展開図、組み立て途中を示す斜視図、及び組み立て後の斜視図である。
【符号の説明】
【００５０】
１              包装ケース
２              底板
２ａ、２ｂ      スリット
３、４          側板
５              端板
６              蓋板
７ａ、７ｂ      挿入片
８              スリット
９              連結板
１０            側方仕切板
１１            台座板
１１ａ、１１ｂ  台座板固定片
１２            第１支持部
１３            被梱包物載置面
１４            第２支持部
１５            折り線
１６            開口部
１７            蓋板固定片
１８            突出片
１９            保持用開口部
２０            折曲保持片
２１            第１フラップ
２２            第２フラップ
２７            支柱部
３０            台座（第１の台座）
３１            台座（第２の台座）
３２ａ、３２ｂ  トナーカートリッジ（被梱包物）
３３            廃トナーボトル（同梱物）
Ｓ１            第１収納空間
Ｓ２            第２収納空間
【図１】
0005210654.tif 000002
【図２】
0005210654.tif 000003
【図３】
0005210654.tif 000004
【図４】
0005210654.tif 000005
【図５】
0005210654.tif 000006
【図６】
0005210654.tif 000007
【図７】
0005210654.tif 000008
【図８】
0005210654.tif 000009
【図９】
0005210654.tif 000010
【図１０】
0005210654.tif 000011
【図１１】
0005210654.tif 000012
【図１２】
0005210654.tif 000013